(57)【要約】【課題】訪問者の円滑な入退室制御を効率よく行なうこと。【解決手段】集合玄関機１０に設けたカメラにより訪問者を撮像し、訪問者が集合玄関機１０に対して住居番号の入力操作と呼出ボタンの押下操作を行なうと、インターホン端末２０に対して呼出を行なう。インターホン端末２０は、居住者が通話操作を行なったならば通話を開始し、居住者が登録操作を行なったならばサーバ３０に対して登録要求を送信する。サーバ３０は、集合玄関機１０により撮像された画像を常時取得し、インターホン端末２０から登録要求を受信した場合に、集合玄関機１０のカメラにより撮像された画像から訪問者の画像を抽出し、抽出した画像を登録人物画像としてデータベースに登録する。登録された訪問者に対しては、サーバ３０の認証によってドア４０の解錠を行なう。【選択図】図１
2014020062.tif 000002
【特許請求の範囲】
【請求項１】
出入口に設けた出入口端末から入居区画に設けた区画端末に対して呼出を行ない、前記呼出を受けた区画端末からの指示に基づいて前記出入口における人物の通過を管理する入退室管理システムであって、
前記出入口端末は、前記出入口近傍に所在する人物を撮像する撮像手段を備え、
前記区画端末は、所定の登録操作を受け付けた場合に、前記人物の登録要求をサーバ装置に送信する登録要求送信手段を備え、
前記サーバ装置は、前記登録要求を受信した場合に、前記撮像手段により撮像された人物の画像を登録人物画像として登録する登録手段と、前記撮像手段により撮像された人物の画像と前記登録人物画像との照合結果に基づいて前記出入口における前記人物の通過を管理する通過管理手段とを備えた
ことを特徴とする入退室管理システム。
【請求項２】
前記区画端末は、所定の解錠操作を受け付けた場合に前記出入口端末に解錠指示を送信し、
前記通過管理手段は、前記撮像手段により撮像された人物の画像を前記登録人物画像と照合し、前記撮像された人物の画像が前記登録人物画像と一致する場合に前記出入口端末に解錠指示を送信し、
前記出入口端末は、前記区画端末又は前記通過管理手段から前記解錠指示を受信した場合に前記出入口の施錠機構を解錠制御する解錠制御手段をさらに備えた
ことを特徴とする請求項１に記載の入退室管理システム。
【請求項３】
前記登録手段は、前記入居区画を特定する区画特定情報を前記登録人物画像に対応付けて登録することを特徴とする請求項１又は２に記載の入退室管理システム。
【請求項４】
前記登録手段は、前記人物を特定する人物特定情報を前記登録人物画像に対応付けて登録することを特徴とする請求項１、２又は３に記載の入退室管理システム。
【請求項５】
前記通過管理手段は、前記撮像手段により撮像された人物の画像を前記登録人物画像と照合し、前記撮像された人物の画像が前記登録人物画像と一致する場合に前記出入口端末に呼出抑制指示を送信し、
前記出入口端末は、前記呼出抑制指示を受信した場合に、前記区画端末に対する呼出を抑制する
ことを特徴とする請求項１に記載の入退室管理システム。
【請求項６】
前記区画端末の登録要求送信手段は、前記人物に対する通過を許可するか禁止するかを示す登録種別を前記登録要求とともに送信し、
前記サーバ装置の登録手段は、前記登録人物画像に前記登録種別を関連付けて登録し、
前記サーバ装置の通過管理手段は、前記撮像された人物の画像が前記登録人物画像と一致し、かつ該登録人物画像に関連付けられた登録種別が通過の許可を示す場合に前記出入口端末に解錠指示を送信し、前記撮像された人物の画像が前記登録人物画像と一致し、かつ該登録人物画像に関連付けられた登録種別が通過の禁止を示す場合に前記出入口端末に呼出抑制指示を送信し、
前記出入口端末は、前記解錠指示を受信した場合に前記出入口の施錠機構を解錠制御し、前記呼出抑制指示を受信した場合に、前記区画端末に対する呼出を抑制する
ことを特徴とする請求項１に記載の入退室管理システム。
【請求項７】
前記サーバ装置は、前記出入口を通過した人物の画像を履歴情報として記憶する履歴記憶手段をさらに備え、
前記区画端末は、前記履歴情報を指定し、当該履歴情報に示された人物の画像の登録を前記サーバ装置に要求する事後登録要求手段をさらに備えた
ことを特徴とする請求項１〜５のいずれか一つに記載の入退室管理システム。
【請求項８】
前記区画端末は、前記サーバ装置の登録手段により登録された登録人物画像を選択的に削除する登録削除手段をさらに備えたことを特徴とする請求項１〜７のいずれか一つに記載の入退室管理システム。
【請求項９】
出入口に設けた出入口端末から入居区画に設けた区画端末に対して呼出を行ない、前記呼出を受けた区画端末からの指示に基づいて前記出入口における人物の通過を管理する入退室管理システムであって、
前記出入口端末は、
前記出入口近傍に所在する人物を撮像する撮像手段と、
所定の登録操作を受け付ける登録受付手段と、
前記所定の登録操作を受け付けた場合に、前記人物の登録要求をサーバ装置に送信する登録要求送信手段と、を備え、
前記サーバ装置は、
前記登録要求を受信した場合に、前記撮像手段により撮像された人物の画像を登録人物画像として登録する登録手段と、
前記撮像手段により撮像された人物の画像と前記登録人物画像との照合結果に基づいて前記出入口における前記人物の通過を管理する通過管理手段とを備えた
ことを特徴とする入退室管理システム。
【請求項１０】
出入口に設けた出入口端末から入居区画に設けた区画端末に対して呼出を行ない、前記呼出を受けた区画端末からの指示に基づいて前記出入口における人物の通過を管理する入退室管理システムの入退室管理方法であって、
前記出入口端末が、前記出入口近傍に所在する人物を撮像する撮像ステップと、
前記区画端末が、所定の登録操作を受け付けた場合に、前記人物の登録要求をサーバ装置に送信する登録要求送信ステップと、
前記サーバ装置が、前記登録要求を受信した場合に、前記撮像ステップにより撮像された人物の画像を登録人物画像として登録する登録ステップと、
前記サーバ装置が、前記撮像ステップにより撮像された人物の画像と前記登録人物画像との照合結果に基づいて前記出入口における前記人物の通過を管理する通過管理ステップと
を含んだことを特徴とする入退室管理方法。
【請求項１１】
出入口に設けた出入口端末から入居区画に設けた区画端末に対して呼出を行ない、前記呼出を受けた区画端末からの指示に基づいて前記出入口における人物の通過を管理する入退室管理システムの入退室管理方法であって、
前記出入口端末が、前記出入口近傍に所在する人物を撮像する撮像ステップと、
前記出入口端末が、所定の登録操作を受け付ける登録受付ステップと、
前記出入口端末が、前記所定の登録操作を受け付けた場合に、前記人物の登録要求をサーバ装置に送信する登録要求送信ステップと、
前記サーバ装置が、前記登録要求を受信した場合に、前記撮像ステップにより撮像された人物の画像を登録人物画像として登録する登録ステップと、
前記サーバ装置が、前記撮像ステップにより撮像された人物の画像と前記登録人物画像との照合結果に基づいて前記出入口における前記人物の通過を管理する通過管理ステップと
を含んだことを特徴とする入退室管理方法。
【発明の詳細な説明】
【技術分野】
【０００１】
この発明は、出入口に設けた出入口端末から入居区画に設けた区画端末に対して呼出を行ない、呼出を受けた区画端末からの解錠指示に基づいて出入口を解錠して人物の通過を管理する入退室管理システム及び入退室管理方法に関する。
【背景技術】
【０００２】
従来、多くの集合住宅には、インターホンシステムが導入されている。このインターホンシステムは、各住戸に設けられたインターホン端末と、集合住宅のエントランス（出入口）に設けられた集合玄関機とを有する。この集合玄関機に訪問者が部屋番号を入力すると、該部屋番号に対応する住戸のインターホン端末に対して呼出が行なわれ、該インターホン端末に対して居住者が解錠操作を行なった場合にエントランスのロックが解錠される。
【０００３】
かかるインターホンシステムでは、居住者は、インターホン端末及び集合玄関機を介して訪問者と通話し、解錠操作を行なうか否かを決めることができるが、通話のみで解錠操作を行なうか否かを決定すると訪問販売等の思わぬ人物を招き入れる可能性があるため、セキュリティ上問題となっていた。
【０００４】
そこで、集合玄関機にカメラを設けて訪問者を撮像し、撮像した画像をインターホン端末に表示し、居住者が訪問者の外見を確認した上で解錠操作を行なうことができるインターホンシステムも利用されている。
【０００５】
また、集合玄関機にて撮像した訪問者の画像を予め登録した登録画像と照合し、一致した場合には解錠を行なうこととすれば、登録された人物はインターホン端末の呼出を行なうことなくエントランスを通過可能となり、利便性が向上する。
【０００６】
このような画像照合に基づく解錠制御を行なう技術として、特許文献１には、あらかじめ利用者の顔画像データの特徴量を辞書情報として登録しておき、カメラで撮像した利用者の顔画像データと辞書情報の内容とを照合して、一致する場合にゲートの解錠を行なう顔認証システムが開示されている。
【先行技術文献】
【特許文献】
【０００７】
【特許文献１】特開２００９−１０４５９９号公報
【発明の概要】
【発明が解決しようとする課題】
【０００８】
しかしながら、上記特許文献１によれば、管理者の立ち会いによる登録操作が必要であり、人的労力が大きくなる。このため、登録を行なって円滑な入室を行なうことができるのは、居住者自身のように頻繁に入退室を行なうことが明らかな一部の人物に限定され、居住者の親族や親しい友人など居住者が円滑な入室を許容したいと所望する訪問者であっても登録を行なわないのが実情である。
【０００９】
このため、訪問者の円滑な入退室制御をいかに効率よく行なうかが課題となっている。また、新たな入退室管理システムを集合住宅に敷設するのは現実的に難しいため、既存のインターホンシステムを利用しつつ、円滑な入退室制御を実現することが求められる。なお、かかる課題は、集合住宅に限らず、複数のオフィスが入ったオフィスビルなどにも同様に生ずる課題である。
【００１０】
本発明は、上述した従来技術の課題を解消するためになされたものであって、訪問者の円滑な入退室制御を効率よく行なうことのできる入退室管理システム及び入退室管理方法を提供することを目的とする。
【課題を解決するための手段】
【００１１】
上述した課題を解決し、目的を達成するため、本発明は、出入口に設けた出入口端末から入居区画に設けた区画端末に対して呼出を行ない、前記呼出を受けた区画端末からの指示に基づいて前記出入口における人物の通過を管理する入退室管理システムであって、前記出入口端末は、前記出入口近傍に所在する人物を撮像する撮像手段を備え、前記区画端末は、所定の登録操作を受け付けた場合に、前記人物の登録要求をサーバ装置に送信する登録要求送信手段を備え、前記サーバ装置は、前記登録要求を受信した場合に、前記撮像手段により撮像された人物の画像を登録人物画像として登録する登録手段と、前記撮像手段により撮像された人物の画像と前記登録人物画像との照合結果に基づいて前記出入口における前記人物の通過を管理する通過管理手段とを備えたことを特徴とする。
【００１２】
また、本発明は、上記発明において、前記区画端末は、所定の解錠操作を受け付けた場合に前記出入口端末に解錠指示を送信し、前記通過管理手段は、前記撮像手段により撮像された人物の画像を前記登録人物画像と照合し、前記撮像された人物の画像が前記登録人物画像と一致する場合に前記出入口端末に解錠指示を送信し、前記出入口端末は、前記区画端末又は前記通過管理手段から前記解錠指示を受信した場合に前記出入口の施錠機構を解錠制御する解錠制御手段をさらに備えたことを特徴とする。
【００１３】
また、本発明は、上記発明において、前記登録手段は、前記入居区画を特定する区画特定情報を前記登録人物画像に対応付けて登録することを特徴とする。
【００１４】
また、本発明は、上記発明において、前記登録手段は、前記人物を特定する人物特定情報を前記登録人物画像に対応付けて登録することを特徴とする。
【００１５】
また、本発明は、上記発明において、前記通過管理手段は、前記撮像手段により撮像された人物の画像を前記登録人物画像と照合し、前記撮像された人物の画像が前記登録人物画像と一致する場合に前記出入口端末に呼出抑制指示を送信し、前記出入口端末は、前記呼出抑制指示を受信した場合に、前記区画端末に対する呼出を抑制することを特徴とする。
【００１６】
また、本発明は、上記発明において、前記区画端末の登録要求送信手段は、前記人物に対する通過を許可するか禁止するかを示す登録種別を前記登録要求とともに送信し、前記サーバ装置の登録手段は、前記登録人物画像に前記登録種別を関連付けて登録し、前記サーバ装置の通過管理手段は、前記撮像された人物の画像が前記登録人物画像と一致し、かつ該登録人物画像に関連付けられた登録種別が通過の許可を示す場合に前記出入口端末に解錠指示を送信し、前記撮像された人物の画像が前記登録人物画像と一致し、かつ該登録人物画像に関連付けられた登録種別が通過の禁止を示す場合に前記出入口端末に呼出抑制指示を送信し、前記出入口端末は、前記解錠指示を受信した場合に前記出入口の施錠機構を解錠制御し、前記呼出抑制指示を受信した場合に、前記区画端末に対する呼出を抑制することを特徴とする。
【００１７】
また、本発明は、上記発明において、前記サーバ装置は、前記出入口を通過した人物の画像を履歴情報として記憶する履歴記憶手段をさらに備え、前記区画端末は、前記履歴情報を指定し、当該履歴情報に示された人物の画像の登録を前記サーバ装置に要求する事後登録要求手段をさらに備えたことを特徴とする。
【００１８】
また、本発明は、上記発明において、前記区画端末は、前記サーバ装置の登録手段により登録された登録人物画像を選択的に削除する登録削除手段をさらに備えたことを特徴とする。
【００１９】
また、本発明は、出入口に設けた出入口端末から入居区画に設けた区画端末に対して呼出を行ない、前記呼出を受けた区画端末からの指示に基づいて前記出入口における人物の通過を管理する入退室管理システムであって、前記出入口端末は、前記出入口近傍に所在する人物を撮像する撮像手段と、所定の登録操作を受け付ける登録受付手段と、前記所定の登録操作を受け付けた場合に、前記人物の登録要求をサーバ装置に送信する登録要求送信手段と、を備え、前記サーバ装置は、前記登録要求を受信した場合に、前記撮像手段により撮像された人物の画像を登録人物画像として登録する登録手段と、前記撮像手段により撮像された人物の画像と前記登録人物画像との照合結果に基づいて前記出入口における前記人物の通過を管理する通過管理手段とを備えたことを特徴とする。
【００２０】
また、本発明は、出入口に設けた出入口端末から入居区画に設けた区画端末に対して呼出を行ない、前記呼出を受けた区画端末からの指示に基づいて前記出入口における人物の通過を管理する入退室管理システムの入退室管理方法であって、前記出入口端末が、前記出入口近傍に所在する人物を撮像する撮像ステップと、記区画端末が、所定の登録操作を受け付けた場合に、前記人物の登録要求をサーバ装置に送信する登録要求送信ステップと、前記サーバ装置が、前記登録要求を受信した場合に、前記撮像ステップにより撮像された人物の画像を登録人物画像として登録する登録ステップと、前記サーバ装置が、前記撮像ステップにより撮像された人物の画像と前記登録人物画像との照合結果に基づいて前記出入口における前記人物の通過を管理する通過管理ステップとを含んだことを特徴とする。
【００２１】
また、本発明は、出入口に設けた出入口端末から入居区画に設けた区画端末に対して呼出を行ない、前記呼出を受けた区画端末からの指示に基づいて前記出入口における人物の通過を管理する入退室管理システムの入退室管理方法であって、前記出入口端末が、前記出入口近傍に所在する人物を撮像する撮像ステップと、前記出入口端末が、所定の登録操作を受け付ける登録受付ステップと、前記出入口端末が、前記所定の登録操作を受け付けた場合に、前記人物の登録要求をサーバ装置に送信する登録要求送信ステップと、前記サーバ装置が、前記登録要求を受信した場合に、前記撮像ステップにより撮像された人物の画像を登録人物画像として登録する登録ステップと、前記サーバ装置が、前記撮像ステップにより撮像された人物の画像と前記登録人物画像との照合結果に基づいて前記出入口における前記人物の通過を管理する通過管理ステップとを含んだことを特徴とする。
【発明の効果】
【００２２】
本発明によれば、出入口端末は、出入口近傍に所在する人物を撮像し、区画端末は、所定の登録操作を受け付けた場合に、人物の登録要求をサーバ装置に送信し、サーバ装置は、登録要求を受信した場合に、出入口端末により撮像された人物の画像を登録人物画像として登録し、出入口端末により撮像された人物の画像と登録人物画像との照合結果に基づいて出入口における人物の通過を管理するよう構成したので、訪問者の円滑な入退室制御を効率よく行なうことができる。
【図面の簡単な説明】
【００２３】
【図１】図１は、実施例１に係るインターホンシステムの構成を示す図である。
【図２】図２は、訪問者を認証する際の処理手順を説明するための説明図である。
【図３】図３は、インターホンシステムに含まれる各装置の内部構成を説明するための説明図である。
【図４】図４は、図３に示した記憶部が記憶する情報について説明するための説明図である。
【図５】図５は、集合玄関機による呼出にかかる処理手順を示すフローチャートである。
【図６】図６は、インターホン端末による呼出にかかる処理手順を示すフローチャートである。
【図７】図７は、サーバの処理手順を示すフローチャートである。
【図８】図８は、実施例２にかかる訪問者の登録処理について説明するための説明図である。
【図９】図９は、実施例２における各装置の内部構成を説明するための説明図である。
【図１０】図１０は、図９に示した記憶部が記憶する情報について説明するための説明図である。
【図１１】図１１は、実施例２の集合玄関機による処理手順を示すフローチャートである。
【発明を実施するための形態】
【００２４】
以下に、添付図面を参照して、本発明に係る入退室管理システム及び入退室管理方法の好適な実施例を詳細に説明する。以下に示す実施例１及び２では、本発明に係る入退室管理システム及び入退室管理方法を集合住宅のインターホンシステムに適用した場合について説明する。
【実施例１】
【００２５】
まず、本実施例１に係るインターホンシステムの特徴及び構成について説明する。図１は、実施例１に係るインターホンシステムの構成を示す図である。図１に示すインターホンシステムは、集合住宅のエントランスにドア４０と集合玄関機１０とを設けている。また、各住居にはインターホン端末２０を設け、管理人室にサーバ３０を設けている。
【００２６】
ドア４０は、通常は施錠されており、集合玄関機１０からの解錠制御を受けた場合に解錠される。また、ドア４０は、解錠から所定時間が経過した場合には自動的に再度施錠される。
【００２７】
集合玄関機１０は、鍵を用いた解錠操作を受け付けるか、インターホン端末２０又はサーバ３０から解錠要求を受信した場合に解錠制御を行なう。また、ドア４０の内側に人物の存在を検知した場合、すなわち集合住宅から外に出ようとする人物を検知した場合にも解錠制御を行なう。
【００２８】
また、集合玄関機１０は、ドア４０の外側を常時撮像するカメラと、インターホン端末２０に対して呼出を行なう機能とを有する。具体的には、訪問者が住居番号と呼出ボタンを押下操作した場合に、住居番号に対応するインターホン端末２０に対して呼出を行い、インターホン端末２０との通話を実現する。
【００２９】
インターホン端末２０は、集合玄関機１０からの呼出を受けた場合に呼出音を出力し、居住者の応答操作が行なわれたならば、集合玄関機１０との通話を開始する。また、呼出音の出力時並びに通話時には、集合玄関機１０のカメラにより撮像された画像を表示出力する。
【００３０】
また、インターホン端末２０は、居住者からの解錠操作を受け付けた場合に、集合玄関機１０に対して解錠要求を送信する。また、インターホン端末２０は、居住者からの登録操作を受け付けた場合に、サーバ３０に対して登録要求を送信する。
【００３１】
サーバ３０は、インターホン端末２０から登録要求を受信した場合に、集合玄関機１０のカメラにより撮像された画像から訪問者の画像を抽出し、抽出した画像を登録人物画像としてデータベースに登録する。
【００３２】
また、サーバ３０は、集合玄関機１０のカメラにより撮像された画像を常時取得し、取得した画像に人物の画像が含まれているならば、該人物の認証を行なう。具体的には、集合玄関機１０のカメラにより撮像された人物の画像と登録人物画像とを照合し、撮像された人物の画像が登録人物画像と一致する場合には、認証成功として集合玄関機１０に対して解錠要求を送信する。
【００３３】
ここで、訪問者を登録する際の処理手順について説明する。図１に示すように、訪問者が集合玄関機１０に対して住居番号の入力操作と呼出ボタンの押下操作を行なうと（１）、集合玄関機１０は、入力された住居番号に対応するインターホン端末２０に対して呼出を行なう（２）。
【００３４】
インターホン端末２０は、呼出を受け付けた場合に呼出音を出力し、居住者がインターホン端末２０に対して通話操作を行なったならば通話を開始する（３）。この通話の開始により、居住者は訪問者との会話を行なって、解錠可否及び登録可否を判断できる。また、インターホン端末２０に集合玄関機１０により撮像された画像を表示することで、居住者は訪問者の外見を確認して、解錠可否及び登録可否の判断に用いることができる。
【００３５】
また、インターホン端末２０は、通話開始時に登録可否の確認を求める表示を行ない（４）、居住者が登録操作を行なったならば（５）、サーバ３０に対して登録要求を送信する。サーバ３０は、集合玄関機１０により撮像された画像を常時取得しており、インターホン端末２０から登録要求を受信した場合に、集合玄関機１０のカメラにより撮像された画像から訪問者の画像を抽出し、抽出した画像を登録人物画像としてデータベースに登録する。
【００３６】
次に、訪問者を認証する際の処理手順について説明する。図２は、訪問者を認証する際の処理手順を説明するための説明図である。図２に示すように、サーバ３０は、集合玄関機１０のカメラにより撮像された画像を常時取得し、取得した画像に人物の画像が含まれているならば、該人物の画像と登録人物画像とを照合して認証する（１）。
【００３７】
そして、撮像された人物の画像が登録人物画像と一致する場合には、認証成功として、集合玄関機１０に対して解錠要求を送信する（２）。このように、登録された訪問者に対しては、サーバ３０の認証によってドア４０の解錠がなされるので、訪問先の住居のインターホン端末２０を呼び出すことなく、円滑に集合住宅に入ることができる。
【００３８】
次に、インターホンシステムに含まれる各装置の内部構成について説明する。図３は、インターホンシステムに含まれる各装置の内部構成を説明するための説明図である。図３に示すように、集合玄関機１０は、操作部１１と、カメラ１２と、マイク１３と、スピーカ１４と、施錠機構１５と、通信部１６と、制御部１７とを有する。
【００３９】
操作部１１は、住居番号を入力するための数字ボタン、呼出ボタン、鍵の挿入口等から成り、訪問者からの操作受付に使用される。カメラ１２は、ドア４０の外側を撮像するための撮像手段である。マイク１３及びスピーカ１４は、インターホン端末２０との通話のために使用される。施錠機構１５は、ドア４０の施錠及び解錠を行なう機構である。通信部１６は、集合住宅内のネットワークを介してインターホン端末２０及びサーバ３０と通信するためのインタフェース部である。
【００４０】
制御部１７は、集合玄関機１０を全体制御する制御部であり、呼出処理部１７ａ、画像送信部１７ｂ及び解錠処理部１７ｃを有する。呼出処理部１７ａは、インターホン端末２０に対する呼出を行なう処理部である。具体的には、呼出処理部１７ａは、操作部１１が住居番号の入力並びに呼出ボタンの押下を受け付けた場合に、入力された住居番号に対応するインターホン端末２０に対する呼出を行い、インターホン端末２０に対して通話操作が行なわれたならば訪問者と居住者との間で通話を行なわせる処理を行なう。
【００４１】
画像送信部１７ｂは、カメラ１２が撮像した画像をサーバ３０及びインターホン端末２０に送信する処理部である。なお、サーバ３０に対する画像の送信は常時行なわれ、インターホン端末２０に対する画像の送信は、呼出先のインターホン端末２０に対して選択的に行なわれる。
【００４２】
解錠処理部１７ｃは、施錠機構１５に対する解錠処理を行なう処理部である。具体的には、解錠処理部１７ｃは、操作部１１に対して適正な鍵が挿入されてシリンダが回転した場合と、インターホン端末２０から解錠要求を受信した場合と、サーバ３０から解錠要求を受信した場合とに施錠機構１５を解錠処理する。なお、解錠から所定時間が経過した場合には、施錠機構１５は再び施錠される。
【００４３】
インターホン端末２０は、操作部２１と、表示部２２と、マイク２３と、スピーカ２４と、通信部２５と、制御部２６とを有する。操作部２１は、集合玄関機１０から呼出を受けた場合に通話を開始するための通話ボタンと、登録を行なうための登録ボタンとを含み、居住者からの操作受付に使用される。表示部２２は、液晶パネル等であり、集合玄関機１０が撮像した画像の表示や、登録可否の確認メッセージの表示に使用される。マイク２３及びスピーカ２４は、集合玄関機１０との通話のために使用される。通信部２５は、集合住宅内のネットワークを介して集合玄関機１０及びサーバ３０と通信するためのインタフェース部である。
【００４４】
制御部２６は、インターホン端末２０を全体制御する制御部であり、呼出応答部２６ａ、解錠要求部２６ｂ及び登録要求部２６ｃを有する。呼出応答部２６ａは、集合玄関機１０から呼出を受けた場合に呼出音をスピーカ２４から出力するとともに、集合玄関機１０のカメラ１２により撮像された画像を表示部２２に表示制御する。そして、居住者が操作部２１に対して応答操作を行なった場合には、訪問者と居住者との間で通話を行なわせる処理を行なう。
【００４５】
解錠要求部２６ｂは、居住者が操作部２１に対して解錠操作を行なった場合に、集合玄関機１０に対して解錠要求を送信する処理部である。登録要求部２６ｃは、居住者が操作部２１に対して登録操作を行なった場合に、サーバ３０に対して登録要求を送信する処理部である。
【００４６】
サーバ３０は、通信部３１と、記憶部３２と、制御部３３とを有する。通信部３１は、集合住宅内のネットワークを介して集合玄関機１０及びインターホン端末２０と通信するためのインタフェース部である。
【００４７】
記憶部３２は、ハードディスク装置や不揮発性メモリ等の記憶デバイスであり、登録人物画像を格納したデータベースとして使用される。また、データベースには、登録人物画像の他、認証処理の履歴を格納した認証履歴や、訪問者の履歴を格納した訪問履歴等を記憶することもできる。
【００４８】
制御部３３は、サーバ３０を全体制御する制御部であり、登録処理部３３ａ、認証処理部３３ｂ及び解錠要求部３３ｃを有する。登録処理部３３ａは、インターホン端末２０から登録要求を受信した場合に、集合玄関機１０のカメラ１２により撮像された訪問者の画像を登録人物画像として記憶部３２に格納する処理を行なう。
【００４９】
認証処理部３３ｂは、訪問者の認証を行なう処理部である。具体的には、認証処理部３３ｂは、集合玄関機１０のカメラ１２により撮像された画像を常時取得し、取得した画像に人物の画像が含まれているか否かを検知し、人物の画像を検知したならば、該人物の画像と登録人物画像とを照合する。
【００５０】
照合の結果、撮像された人物の画像が登録人物画像と一致する場合には、認証処理部３３ｂは、認証成功を解錠要求部３３ｃに通知する。解錠要求部３３ｃは、認証処理部３３ｂにより認証成功の通知を受けた場合に、集合玄関機１０に対して解錠要求を送信する処理部である。
【００５１】
次に、図３に示した記憶部３２が記憶する情報について説明する。図４は、図３に示した記憶部３２が記憶する情報について説明するための説明図である。図４（ａ）に示すように、登録人物画像は、住居番号と関連付けて記憶される。図４（ａ）は、住居番号「１０１」に登録人物画像「Ａ００１．ｊｐｇ」及び「「Ａ００２．ｊｐｇ」が関連付けられ、住居番号「４０８」に登録人物画像「Ａ００３．ｊｐｇ」が関連付けられた状態を示している。このように、１つの住居番号に対し、複数の登録人物画像を関連付けることで、１つの住居に対して複数人の人物を登録することができる。
【００５２】
図４（ｂ）は、認証履歴の具体例である。認証履歴は、日時と、登録人物画像と、場所とを関連付けたデータである。具体的には、「６／２８  １２：００」に登録人物画像「Ａ００３．ｊｐｇ」と一致する人物がエントランスを通過し、「６／２８  １２：１５」に登録人物画像「Ａ０１７．ｊｐｇ」と一致する人物がエントランスを通過したことを示している。なお、集合玄関機１０を複数の場所に設置した場合には、場所の項目を有することが望ましいが、集合玄関機１０を単一のエントランスのみに設置した場合には、場所の項目を省略してもよい。
【００５３】
図４（ｃ）は、訪問履歴の具体例である。訪問履歴は、日時と、訪問者と、訪問した人物の画像とを関連付けたデータである。具体的には、「６／２８  ９：００」に住居番号「１０３」に対して呼出が行なわれ、該人物の人物画像が「Ｂ００１．ｊｐｇ」であること、並びに、「６／２８  １２：４０」に住居番号「４０８」に対して呼出が行なわれ、該人物の人物画像が「Ｂ００２．ｊｐｇ」であることが示されている。ここで、訪問者の人物画像は、登録人物画像とは異なる。具体的には、集合玄関機１０のカメラ１２により撮像された画像から検知され、認証処理に使用されたものの、認証に失敗した人物の画像が訪問者の人物画像として格納される。
【００５４】
次に、集合玄関機１０による呼出にかかる処理手順について説明する。図５は、集合玄関機１０による呼出にかかる処理手順を示すフローチャートである。なお、このフローチャートに示す処理手順は、集合玄関機１０により繰り返し実行される。
【００５５】
まず、操作部１１が住居番号の入力並びに呼出ボタンの押下を受け付けていなければ（ステップＳ１０１；Ｎｏ）、集合玄関機１０は処理を終了し、上述したように本フローチャートに示す処理手順を繰り返し実行する。
【００５６】
そして、操作部１１が住居番号の入力並びに呼出ボタンの押下を受け付けたならば（ステップＳ１０１；Ｙｅｓ）、呼出処理部１７ａは、入力された住居番号に対応するインターホン端末２０に対する呼出を行う（ステップＳ１０２）。この呼出時には、画像送信部１７ｂは、カメラ１２により撮像した画像をサーバ３０に送信するとともに、呼出先のインターホン端末２０にも送信する。
【００５７】
インターホン端末２０に対する呼出を行なった後、呼出処理部１７ａは、インターホン端末２０からの応答があったか否かを判定する（ステップＳ１０３）。インターホン端末２０からの応答がなければ（ステップＳ１０３；Ｎｏ）、呼出処理部１７ａは、呼出を終了するか否かを判定する（ステップＳ１０４）。呼出終了の判定は、呼出から所定時間が経過した場合等、任意の条件を用いることができる。呼出を終了する場合には（ステップＳ１０４；Ｙｅｓ）、集合玄関機１０は処理を終了し、上述したように本フローチャートに示す処理手順を繰り返し実行する。呼出を終了しない場合には（ステップＳ１０４；Ｎｏ）、呼出処理部１７ａは、ステップＳ１０３に移行し、インターホン端末２０からの応答があったか否かを判定する。
【００５８】
インターホン端末２０からの応答があったならば（ステップＳ１０３；Ｙｅｓ）、呼出処理部１７ａは、通話の開始を行なう（ステップＳ１０５）。具体的には、マイク１３により収集した音声データをインターホン端末２０に送信し、インターホン端末２０から受信した音声データをスピーカ１４から出力する。
【００５９】
通話開始後、解錠処理部１７ｃは、インターホン端末２０から解錠要求を受信したか否かを判定する（ステップＳ１０６）。インターホン端末２０から解錠要求を受信したならば（ステップＳ１０６；Ｙｅｓ）、解錠処理部１７ｃは、施錠機構１５の解錠処理を実行する（ステップＳ１０７）。
【００６０】
解錠処理の実行後、若しくはインターホン端末２０から解錠要求を受信していない場合（ステップＳ１０６；Ｎｏ）、呼出処理部１７ａは、通話を終了するか否かを判定する（ステップＳ１０８）。通話の終了条件としては、インターホン端末２０から通話終了等、任意の条件を用いることができる。
【００６１】
通話を終了しない場合には（ステップＳ１０８；Ｎｏ）、ステップＳ１０６に移行し、解錠要求を受信したか否かの判定を行なう。そして、通話終了の条件を満たした場合に（ステップＳ１０８；Ｙｅｓ）、集合玄関機１０は処理を終了する。
【００６２】
次に、インターホン端末２０による呼出にかかる処理手順について説明する。図６は、インターホン端末２０による呼出にかかる処理手順を示すフローチャートである。なお、このフローチャートに示す処理手順は、インターホン端末２０により繰り返し実行される。
【００６３】
まず、呼出応答部２６ａは、集合玄関機１０から呼出を受けたか否かを判定する（ステップＳ２０１）。集合玄関機１０から呼出を受けていなければ（ステップＳ２０１；Ｎｏ）、インターホン端末２０は処理を終了し、上述したように本フローチャートに示す処理手順を繰り返し実行する。
【００６４】
集合玄関機１０から呼出を受けた場合には（ステップＳ２０１；Ｙｅｓ）、呼出応答部２６ａは、呼出処理を行なう（ステップＳ２０２）。この呼出処理では、スピーカ２４から呼出音を出力し、集合玄関機１０より受信した画像を表示部２２に表示する。
【００６５】
呼出処理の後、呼出応答部２６ａは、操作部２１に対する通話操作を受け付けたか否かを判定する（ステップＳ２０３）。通話操作を受け付けていなければ（ステップＳ２０３；Ｎｏ）、呼出応答部２６ａは、呼出を終了するか否かを判定する（ステップＳ２０４）。呼出終了の判定は、呼出から所定時間が経過した場合等、任意の条件を用いることができる。呼出を終了する場合には（ステップＳ２０４；Ｙｅｓ）、インターホン端末２０は処理を終了し、上述したように本フローチャートに示す処理手順を繰り返し実行する。呼出を終了しない場合には（ステップＳ２０４；Ｎｏ）、呼出応答部２６ａは、ステップＳ２０３に移行し、操作部２１に対する通話操作を受け付けたか否かを判定する。
【００６６】
操作部２１に対する通話操作を受け付けたならば（ステップＳ２０３；Ｙｅｓ）、呼出応答部２６ａは、集合玄関機１０に応答を返し、通話を開始する（ステップＳ２０５）。具体的には、マイク２３により収集した音声データを集合玄関機１０に送信し、集合玄関機１０から受信した音声データをスピーカ１４から出力する。また、集合玄関機１０より受信した画像の表示部２２への表示は継続する。
【００６７】
通話開始後、解錠要求部２６ｂは、操作部２１に対する解錠操作を受け付けたか否かを判定する（ステップＳ２０６）。操作部２１に対する解錠操作を受け付けたならば（ステップＳ２０６；Ｙｅｓ）、解錠要求部２６ｂは、集合玄関機１０に解錠要求を送信する（ステップＳ２０７）。
【００６８】
解錠要求の送信後、若しくは操作部２１に対する解錠操作を受け付けていない場合（ステップＳ２０６；Ｎｏ）、登録要求部２６ｃは、操作部２１に対する登録操作を受け付けたか否かを判定する（ステップＳ２０８）。操作部２１に対する登録操作を受け付けたならば（ステップＳ２０８；Ｙｅｓ）、登録要求部２６ｃは、サーバ３０に登録要求を送信する（ステップＳ２０９）。
【００６９】
登録要求の送信後、若しくは操作部２１に対する登録操作を受け付けていない場合（ステップＳ２０８；Ｎｏ）、呼出応答部２６ａは、通話を終了するか否かを判定する（ステップＳ２１０）。通話の終了条件としては、操作部２１に対する通話終了操作等、任意の条件を用いることができる。
【００７０】
通話を終了しない場合には（ステップＳ２１０；Ｎｏ）、ステップＳ２０６に移行し、操作部２１に対する解錠操作を受け付けたか否かを判定する。そして、通話終了の条件を満たした場合に（ステップＳ２１０；Ｙｅｓ）、インターホン端末２０は処理を終了する。
【００７１】
次に、サーバ３０の処理手順について説明する。図７は、サーバ３０の処理手順を示すフローチャートである。なお、このフローチャートに示す処理手順は、サーバ３０により繰り返し実行される。
【００７２】
まず、サーバ３０の認証処理部３３ｂは、集合玄関機１０から受信した画像に人物の画像が含まれているか否かを検知する（ステップＳ３０１）。この人物の検知には、パターンマッチング等、任意の画像処理技術を用いることができる。
【００７３】
画像内に人物を検知したならば（ステップＳ３０１；Ｙｅｓ）、検知した人物の顔画像を抽出し、該顔画像と登録人物画像とを照合して、認証処理を行なう（ステップＳ３０２）。この認証処理が成功した、すなわち、検知した人物の顔画像と登録人物画像とが一致したならば（ステップＳ３０３；Ｙｅｓ）、認証処理部３３ｂは、記憶部３２の認証履歴を更新し（ステップＳ３０４）、解錠要求部３３ｃは、集合玄関機１０に対して解錠要求を送信する（ステップＳ３０５）。
【００７４】
解錠要求の送信後、認証が失敗した場合（ステップＳ３０３；Ｎｏ）、若しくは画像内に人物を検知しなかった場合（ステップＳ３０１；Ｎｏ）、登録処理部３３ａは、インターホン端末２０から登録要求を受信したか否かを判定する（ステップＳ３０６）。
【００７５】
インターホン端末２０から登録要求を受信した場合には（ステップＳ３０６；Ｙｅｓ）、登録処理部３３ａは、登録処理を行なう（ステップＳ３０７）。具体的には、登録処理部３３ａは、集合玄関機１０より受信した画像から人物の顔画像を抽出し、該顔画像と、インターホン端末２０に対応する部屋番号とを関連付けて記憶部３２に格納する。そして、登録処理の後、若しくは登録要求を受信していない場合（ステップＳ３０６；Ｎｏ）、サーバ３０は処理を終了する。
【００７６】
上述してきたように、本実施例１では、集合玄関機１０に設けたカメラ１２により訪問者を撮像し、居住者がインターホン端末２０に対して登録操作を行なった場合には、訪問者の顔画像を登録人物画像としてサーバ３０に登録し、以降、登録された人物に対しては、サーバ３０の認証によってドア４０の解錠を行なうよう構成したので、訪問者の円滑な入退室制御を効率よく行なうことができる。
【実施例２】
【００７７】
上記実施例１では、居住者がインターホン端末２０に対して登録操作を行なった場合に登録処理を行なう場合について説明したが、登録操作は、集合玄関機１０により受け付けることとしてもよい。本実施例２では、集合玄関機１０の操作により登録処理を行なう場合について説明する。また、本実施例２では、住居番号に加えて個人を識別する個人番号をさらに登録人物画像に関連付ける場合について説明する。
【００７８】
図８は、実施例２にかかる訪問者の登録処理について説明するための説明図である。図８に示すように、訪問者が集合玄関機１１０に対して住居番号及び個人番号を入力し、登録操作を行なうと（１）、集合玄関機１１０は、サーバ１３０に対して登録要求を送信する。ここで、登録操作には、登録用の特殊な鍵の使用や暗証番号の入力等、訪問者が登録すべき人物であることを確認可能な操作とすることが望ましい。
【００７９】
サーバ１３０は、集合玄関機１０により撮像された画像を常時取得しており、集合玄関機１１０から登録要求を受信した場合に、集合玄関機１１０のカメラにより撮像された画像から訪問者の画像を抽出し、抽出した画像を登録人物画像としてデータベースに登録する。
【００８０】
このように、本実施例２では、集合玄関機１１０が登録要求を送信可能であるので、住居者による操作を行なうことなく訪問者の登録処理を行なうことができる。なお、認証時の処理については実施例１と同様であるので説明を省略する。
【００８１】
次に、実施例２における各装置の内部構成について説明する。図９は、実施例２における各装置の内部構成を説明するための説明図である。図９に示すように、集合玄関機１１０は、制御部１７に登録要求部１７ｄをさらに備える点が実施例１に示した集合玄関機１０と異なる。また、サーバ１３０は、制御部３３の登録処理部１３３ａの動作が実施例１に示したサーバ３０の登録処理部３３ａと異なり、記憶部１３２が記憶する登録人物画像及び認証履歴が実施例１に示したサーバ３０の記憶部３２と異なる。その他の構成及び動作については実施例１と同様であるので、同一の構成要素には同一の符号を付して説明を省略する。
【００８２】
集合玄関機１１０の登録要求部１７ｄは、操作部１１に対して所定の登録操作が行なわれた場合に、サーバ３０に対して登録要求を送信する処理部である。サーバ１３０の登録処理部１３３ａは、集合玄関機１１０の登録要求部１７ｄから登録要求を受信した場合に、集合玄関機１１０のカメラ１２により撮像された訪問者の画像を登録人物画像として記憶部１３２に格納する処理を行なう。この時、登録処理部１３３ａは、登録人物画像に対して訪問者が入力した住居番号と個人番号とを関連付ける。
【００８３】
次に、図９に示した記憶部１３２が記憶する情報について説明する。図１０は、図９に示した記憶部１３２が記憶する情報について説明するための説明図である。図１０（ａ）に示すように、登録人物画像は、ＩＤと関連付けて記憶される。このＩＤは、住居番号と、個人番号の組み合わせであり、人物を一意に特定する識別情報である。
【００８４】
具体的には、住居番号「１０１」かつ個人番号「１」のＩＤに登録人物画像「Ａ００１．ｊｐｇ」が関連付けられている。この場合には、ＩＤは「１０１１」となる。また、住居番号「１０１」かつ個人番号「２」のＩＤに登録人物画像「Ａ００２．ｊｐｇ」が関連付けられている。この場合にはＩＤは「１０１２」となる。さらに、住居番号「４０８」かつ個人番号「１」のＩＤに登録人物画像「Ａ００３．ｊｐｇ」が関連付けられている。この場合にはＩＤは「４０８１」となる。
【００８５】
なお、このように個人番号を用いる場合には、インターホン端末２０からの登録要求時にも個人番号を付与することが望ましい。この場合には、インターホン端末２０により個人番号を指定しても良いし、集合玄関機１１０により個人番号を指定してもよい。
【００８６】
図１０（ｂ）は、認証履歴の具体例である。認証履歴は、日時と、ＩＤと、場所とを関連付けたデータである。具体的には、「６／２８  １２：００」にＩＤ「４０８１」の人物がエントランスを通過し、「６／２８  １２：１５」にＩＤ「１０２２」と一致する人物がエントランスを通過したことを示している。このように、登録人物画像に人物を特定するＩＤを対応付けたことにより、認証履歴では登録人物画像ではなく、ＩＤにより通過した人物を管理することができる。なお、訪問履歴については、実施例１と同様であるので、説明を省略する。
【００８７】
次に、実施例２における集合玄関機１１０の処理手順について説明する。図１１は、実施例２の集合玄関機１１０による処理手順を示すフローチャートである。集合玄関機１１０の処理手順は、実施例１に示した集合玄関機１０の処理手順に登録にかかる処理を付加したものとなる。
【００８８】
具体的には、操作部１１が住居番号の入力並びに呼出ボタンの押下を受け付けたならば（ステップＳ４０１；Ｙｅｓ）、呼出処理部１７ａは、入力された住居番号に対応するインターホン端末２０に対する呼出を行う（ステップＳ４０２）。この呼出時には、画像送信部１７ｂは、カメラ１２により撮像した画像をサーバ１３０に送信するとともに、呼出先のインターホン端末２０にも送信する。
【００８９】
インターホン端末２０に対する呼出を行なった後、呼出処理部１７ａは、インターホン端末２０からの応答があったか否かを判定する（ステップＳ４０３）。インターホン端末２０からの応答がなければ（ステップＳ４０３；Ｎｏ）、呼出処理部１７ａは、呼出を終了するか否かを判定する（ステップＳ４０４）。呼出終了の判定は、呼出から所定時間が経過した場合等、任意の条件を用いることができる。呼出を終了しない場合には（ステップＳ４０４；Ｎｏ）、呼出処理部１７ａは、ステップＳ４０３に移行し、インターホン端末２０からの応答があったか否かを判定する。
【００９０】
インターホン端末２０からの応答があったならば（ステップＳ４０３；Ｙｅｓ）、呼出処理部１７ａは、通話の開始を行なう（ステップＳ４０５）。具体的には、マイク１３により収集した音声データをインターホン端末２０に送信し、インターホン端末２０から受信した音声データをスピーカ１４から出力する。
【００９１】
通話開始後、解錠処理部１７ｃは、インターホン端末２０から解錠要求を受信したか否かを判定する（ステップＳ４０６）。インターホン端末２０から解錠要求を受信したならば（ステップＳ４０６；Ｙｅｓ）、解錠処理部１７ｃは、施錠機構１５の解錠処理を実行する（ステップＳ４０７）。
【００９２】
解錠処理の実行後、若しくはインターホン端末２０から解錠要求を受信していない場合（ステップＳ４０６；Ｎｏ）、呼出処理部１７ａは、通話を終了するか否かを判定する（ステップＳ４０８）。通話の終了条件としては、インターホン端末２０から通話終了等、任意の条件を用いることができる。通話を終了しない場合には（ステップＳ４０８；Ｎｏ）、ステップＳ４０６に移行し、解錠要求を受信したか否かの判定を行なう。
【００９３】
通話を終了した場合（ステップＳ４０８；Ｙｅｓ）、呼出を終了した場合（ステップＳ４０４；Ｙｅｓ）、若しくは呼出操作を受け付けていない場合（ステップＳ４０１；Ｎｏ）、登録要求部１７ｄは、操作部１１に対する登録操作を受け付けたか否かを判定する（ステップＳ４０９）。操作部１１に対する登録操作を受け付けたならば（ステップＳ４０９；Ｙｅｓ）、登録要求部１７ｄは、サーバ１３０に登録要求を送信する（ステップＳ４１０）。
【００９４】
登録要求の送信後、若しくは操作部１１に対する登録操作を受け付けていない場合（ステップＳ４０９；Ｎｏ）、集合玄関機１１０は、処理を終了する。なお、インターホン端末２０の処理手順並びにサーバ１３０の処理手順については、実施例１と同様であるので、説明を省略する。
【００９５】
上述してきたように、本実施例２では、訪問者が集合玄関機１１０に対して登録操作を行なった場合には、訪問者の顔画像を登録人物画像としてサーバ１３０に登録し、以降、登録された人物に対しては、サーバ１３０の認証によってドア４０の解錠を行なうよう構成したので、インターホン端末２０に対する居住者の登録操作が必ずしも必要ではなくなり、訪問者の円滑な入退室制御を効率よく行なうことができる。また、本実施例２では、個人を特定可能なＩＤを登録人物画像に対応付けるように構成したので、認証履歴の管理を簡易に行なうことができる。
【００９６】
なお、上記実施例では、インターホン端末２０に居住者が通話操作を行なった場合に登録可否の確認表示を求める表示を行なう構成を例に説明を行なったが、登録可否の確認表示については省略することも可能である。
【００９７】
また、訪問者が住居番号に加えて所定の入力を行なった場合にのみ登録可否の確認表示を行い、登録操作の受付が可能となるよう構成してもよい。ここで、住居番号に加えて個人番号を入力した場合に登録が可能となるように構成したならば、入力された住居番号と個人番号の組合せをＩＤとして登録人物画像に関連付けることができる。
【００９８】
また、登録ボタンは、物理的なボタンに限定されず、タッチパネルにより実現してもよい。登録ボタンをタッチパネルにより実現し、住居番号に加えて個人番号を入力した場合に登録が可能となるように構成する場合には、住居番号に加えて個人番号を入力した場合にのみ登録ボタンをタッチパネルに表示すればよい。
【００９９】
また、上記実施例では、人物を検知した場合に認証処理を自動的に実行する場合を例に説明を行なったが、訪問者が集合玄関機１１０に対してＩＤの入力を行なった場合に、該ＩＤに関連付けられた登録人物画像を用いて認証を行なうように構成してもよい。このように構成することで、認証処理の実行頻度を低減してサーバ１３０の負荷を軽減できるととともに、照合に使用する登録人物画像を限定できることから認証精度の向上が可能である。なお、訪問者が集合玄関機１０に対して部屋番号の入力を行なった場合に、該部屋番号に関連付けられた登録人物画像を用いて認証を行なうよう構成してもよい。
【０１００】
また、インターホン端末２０の操作により登録人物画像を削除する場合には、部屋番号又はＩＤを指定して、該部屋番号又はＩＤに関連付けられた登録人物画像を表示部２２に表示制御し、削除する登録人物画像の選択を受け付ければよい。
【０１０１】
また、上記実施例では、集合玄関機１０又は集合玄関機１１０により現に撮像された画像を用いて登録人物画像を生成する場合について説明したが、インターホン端末２０の操作により過去の訪問者を事後登録可能としてもよい。事後登録を行なう場合には、図４（ｃ）に示した訪問履歴のうち、インターホン端末２０に対応する住居への訪問者の人物画像を表示部２２に表示制御し、登録する訪問者の選択を受け付ければよい。
【０１０２】
また、上記実施例では、インターホン端末２０又は集合玄関機１１０からの登録要求に基づいて登録人物画像を生成する場合について説明したが、繰り返し居住者により通過を許可された訪問者については自動的に登録するように構成してもよい。
【０１０３】
自動登録を行う場合には、図４（ｃ）に示した訪問履歴に、解錠要求を受け付けたか否かをさらに関連付けて記憶し、図４（ｃ）に示した訪問履歴の人物画像同士で照合を行って、類似度が高く、同一人物と見なせる人物画像をグループ化する。
【０１０４】
そして、所定の期間内で、一定数以上の解錠要求がなされた、すなわち居住者に訪問を許可された人物の人物画像を登録人物画像として新規登録する。ここで、訪問回数は、同一グループに分類された人物画像の訪問日時から計数することができる。また、自動登録を行う際の住居番号は、訪問先の住居番号を用いる。さらに、個人番号を付加する場合は、訪問先の住居番号に対して設定可能な個人番号のうち、未使用のものを使用する。未使用の個人番号が残っていない場合は、登録しない。もしくは、最も利用頻度度が低い個人番号の登録人物画像を削除し、該個人番号を自動登録に使用してもよい。
【０１０５】
また、上記実施例では、ドア４０の解錠を許可するために認証処理を利用する場合について説明したが、ドア４０の解錠やインターホン端末２０の呼出を拒絶するために認証処理を利用してもよい。具体的には、今後の訪問を拒絶したい訪問者の顔画像をブラックリストとして登録し、ブラックリストに該当する人物については呼出操作を行なった場合にもインターホン端末２０への呼出を行なわないように構成する。また、このブラックリストについては、複数の住居で共有可能としてもよい。すなわち、ある住居のインターホン端末２０によりブラックリスト登録された人物については、他の住居に呼出をかけた場合にも拒絶されることとなる。
【０１０６】
なお、認証処理をドア４０の解錠許可と、ドア４０の解錠やインターホン端末２０の呼出の拒絶との双方に用いる場合には、登録時に「解錠許可」「通過抑制」のいずれかを登録種別として指定し、登録人物画像に登録種別を関連付けて記憶する。この場合には、サーバ３０は、認証処理の結果、登録種別が「解錠許可」である登録人物画像と一致した場合には、集合玄関機１０（又は１１０）に対して解錠要求を送信し、登録種別が「通過抑制」である登録人物画像と一致した場合には、集合玄関機１０（又は１１０）に対して呼出禁止要求や解錠禁止要求を送信することとなる。
【０１０７】
また、上記実施例では、集合住宅のインターホンシステムについて説明したが、本発明は集合住宅のインターホンシステムに限定されるものではなく、複数のオフィスが入ったオフィスビル等、他のシステムにも適用可能である。
【産業上の利用可能性】
【０１０８】
以上のように、本発明に係る入退室管理システム及び入退室管理方法は、訪問者の円滑な入退室制御に適している。
【符号の説明】
【０１０９】
１０、１１０  集合玄関機
１１、２１  操作部
１２  カメラ
１３、２３  マイク
１４、２４  スピーカ
１５  施錠機構
１６、２５、３１  通信部
１７、２６、３３  制御部
１７ａ  呼出処理部
１７ｂ  画像送信部
１７ｃ  解錠処理部
１７ｄ、２６ｃ  登録要求部
２０  インターホン端末
２２  表示部
２６ａ  呼出応答部
２６ｂ  解錠要求部
３０、１３０  サーバ
３２、１３２  記憶部
３３ａ、１３３ａ  登録処理部
３３ｂ  認証処理部
３３ｃ  解錠要求部
４０  ドア
【図１】
2014020062.tif 000003
【図２】
2014020062.tif 000004
【図３】
2014020062.tif 000005
【図４】
2014020062.tif 000006
【図５】
2014020062.tif 000007
【図６】
2014020062.tif 000008
【図７】
2014020062.tif 000009
【図８】
2014020062.tif 000010
【図９】
2014020062.tif 000011
【図１０】
2014020062.tif 000012
【図１１】
2014020062.tif 000013